(57)【要約】【課題】ボトルを吊り下げた状態で保持し、隣接するボトルが接触しないように強固にボトルを保持することができるとともに、ボトルが落下するおそれがなく、さらには、ボトルをホルダから取り出す際に容易に取り出すことができるボトルホルダを提供する。【解決手段】ボトルホルダ５は、把手部用板部１２、１６を貼り合わせることにより形成される把手部と、上側側板部２２、２８と下側側板部２４、２６とにより四角筒状に形成される保持部２０と、ロック部６０、９０とを有し、保持部２０を筒状にしてロック部６０、９０によりロックすることにより、上側側板部２２、２８に形成される開口部にボトルの頭部のフランジを係止させるとともに、下側側板部２４、２６に形成される開口部によりボトルの係止位置の下方を保持することができる。ボトルを取り出す場合には、片部６９、９９を引っ張って、ミシン目７０、１００を破断してロックを解除する。【選択図】図５
0003144245.tif 000002
【実用新案登録請求の範囲】
【請求項１】
１枚のシート状ブランクにより形成され、ボトルを吊り下げた状態で保持するボトルホルダであって、
把手部と、保持部と、ロック部とを有し、
該把手部が、第１把手部用板部と第２把手部用板部とを貼り合わせて形成され、
該保持部が、第１把手部用板部の下端辺から折れ線を介して連設された第１上側側板部と、第１上側側板部の第１把手部用板部側とは反対側の辺部から折れ線を介して連設された第１下側側板部と、第２把手部用板部の下端辺から折れ線を介して連設された第２上側側板部と、第２上側側板部の第２把手部用板部側とは反対側の辺部から連設されるとともに第１下側側板部の第１上側側板部側とは反対側の辺部から折れ線を介して連設された第２下側側板部とを有し、第１上側側板部と第１下側側板部と第２上側側板部と第２下側側板部とで断面が略正方形状の筒状に形成され、
第１把手部用板部の第１上側側板部側には、ボトルの頭部を配置する第１切欠部が形成されるとともに、第１上側側板部の第１把手部用板部側には、ボトルの頭部を係止するための第２切欠部が形成され、第１切欠部と第２切欠部とで１つの開口部が形成され、また、第２把手部用板部の第２上側側板部側で第１切欠部と対応する位置には、ボトルの頭部を配置する第３切欠部が形成されるとともに、第２上側側板部の第２把手部用板部側には、ボトルの頭部を係止するための第４切欠部が形成されていて、第３切欠部と第４切欠部とで１つの開口部が形成され、第１切欠部と第３切欠部とで把手部に形成された１つの頭部配置用切欠部が形成されるとともに、第２切欠部と第４切欠部とでボトルの頭部を係止するための１つの頭部係止用開口部が形成され、
第１下側側板部から第２下側側板部に跨る頭部係止用開口部の下方の領域に楕円状の開口部が形成されて、該楕円状の開口部の縁部によりボトルの頭部より下位置の周面を保持可能とするとともに、第２下側側板部の側方の端部付近にはロック部の嵌合部の差込み片を差込み可能な穴部が形成され、
該ロック部が、第１上側側板部の側辺から折れ線を介して連設され、第１上側側板部に対して折り曲げた場合に、筒状の保持部に嵌合可能に略正方形状を呈する嵌合部を有し、該嵌合部は、第１上側側板部側とは反対側の端部には該穴部に差込み可能な差込み片が形成され、嵌合部の第１上側側板部側の端部から差込み片に向けて切込みがミシン目状に形成されて嵌合部の第１上側側板部側の端部から差し込み片までの中央領域が帯状に破断可能に形成され、
ボトルの頭部を楕円状の開口部から挿通して頭部配置用切欠部に配置し、嵌合部を第１上側側板部に対して折り曲げ差込み片を穴部に差し込んでロック部をロックすることにより、ボトルの頭部が頭部係止用開口部に係止されるとともに、楕円状の開口部がボトルの頭部より下位置に接することを特徴とするボトルホルダ。
【請求項２】
上記ロック部が、第１内接片部と、第２内接片部とを有し、第１内接片部は、嵌合部の第１上側側板部側とは反対側の辺部から折れ線を介して連設され、第２内接片部は、嵌合部における第１内接片部が連設された辺部と隣接する辺部から折れ線を介して連設され、第１上側側板部の嵌合部との境界位置の折れ線は、把手部や第１下側側板部の端部よりも内側に形成されていて、ロック部をロックした際に、第１内接片部が第２下側側板部の内側に接するとともに、第２内接片部が第１下側側板部の内側に接することを特徴とする請求項１に記載のボトルホルダ。
【請求項３】
１枚のシート状ブランクにより形成され、ボトルを吊り下げた状態で保持するボトルホルダであって、
把手部と、保持部と、ロック部とを有し、
該把手部が、第１把手部用板部と第２把手部用板部とを貼り合わせて形成され、
該保持部が、第１把手部用板部の下端辺から折れ線を介して連設された第１上側側板部と、第１上側側板部の第１把手部用板部側とは反対側の辺部から折れ線を介して連設された第１下側側板部と、第２把手部用板部の下端辺から折れ線を介して連設された第２上側側板部と、第２上側側板部の第２把手部用板部側とは反対側の辺部から連設されるとともに第１下側側板部の第１上側側板部側とは反対側の辺部から折れ線を介して連設された第２下側側板部とを有し、第１上側側板部と第１下側側板部と第２上側側板部と第２下側側板部とが略同一幅に形成されて、第１上側側板部と第１下側側板部と第２上側側板部と第２下側側板部とで断面が略正方形状の筒状に形成され、
第１把手部用板部の第１上側側板部側には、ボトルの頭部を配置する第１切欠部が形成されるとともに、第１上側側板部の第１把手部用板部側には、ボトルの頭部を係止するための第２切欠部が形成され、第１切欠部と第２切欠部とで１つの開口部が形成され、また、第２把手部用板部の第２上側側板部側で第１切欠部と対応する位置には、ボトルの頭部を配置する第３切欠部が形成されるとともに、第２上側側板部の第２把手部用板部側には、ボトルの頭部を係止するための第４切欠部が形成されていて、第３切欠部と第４切欠部とで１つの開口部が形成され、第１切欠部と第３切欠部とで把手部に形成された１つの頭部配置用切欠部が形成されるとともに、第２切欠部と第４切欠部とでボトルの頭部を係止するための１つの頭部係止用開口部が形成され、
第１下側側板部から第２下側側板部に跨る頭部係止用開口部の下方の領域に楕円状の開口部が形成されて、該楕円状の開口部の縁部によりボトルの頭部より下位置の周面を保持可能とするとともに、第２下側側板部の側方の端部付近にはロック部の嵌合部の差込み片を差込み可能な穴部が形成され、
該ロック部が、嵌合部と、第１内接片部と、第２内接片部とを有し、
該嵌合部が、第１上側側板部の側辺から折れ線を介して連設され、第１上側側板部に対して折り曲げた場合に、筒状の保持部に嵌合可能に略正方形状を呈し、第１内接片部との境界位置には切込みを形成することにより嵌合部の端部に差込み片が形成され、嵌合部の第１上側側板部側の端部から差込み片に向けて切込みがミシン目状に形成されて嵌合部の第１上側側板部側の端部から差し込み片までの中央領域が帯状に破断可能に形成され、
第１内接片部は、嵌合部の第１上側側板部側とは反対側の辺部から折れ線を介して連設され、第２内接片部は、嵌合部における第１内接片部が連設された辺部と隣接する辺部から折れ線を介して連設されるとともに、第１上側側板部の嵌合部との境界位置の折れ線は、把手部や第１下側側板部の端部よりも内側に形成されていて、嵌合部を第１上側側板部に対して折り曲げ差込み片を穴部に差し込むことによりロック部をロックした際に、第１内接片部が第２下側側板部の内側に接するとともに、第２内接片部が第１下側側板部の内側に接し、
ボトルの頭部を楕円状の開口部から挿通して頭部配置用切欠部に配置し、ロック部をロックすることにより、ボトルの頭部が頭部係止用開口部に係止されるとともに、楕円状の開口部がボトルの頭部より下位置に接することを特徴とするボトルホルダ。
【請求項４】
第２切欠部と第４切欠部とが、半円状の切欠部の奥側に該切欠部をなす半円よりも径の小さい円弧の切欠部が形成された径の異なる二重の切欠部により形成されていることを特徴とする請求項１又は２又は３に記載のボトルホルダ。
【考案の詳細な説明】
【技術分野】
【０００１】
本考案は、瓶、ペットボトル等のボトルを吊り下げて保持するボトルホルダに関するものである。
【背景技術】
【０００２】
従来より、瓶等のボトルを吊り下げて保持し持ち運ぶことができるホルダとしては、特許文献１に示す紙製容器ホールダーや、特許文献２に示すボトル運搬体が知られている。
【０００３】
この特許文献１における紙製容器ホールダーは、第一上パネルと、第一側パネル孔が設けられた第一側パネルと、底パネル孔が設けられた底パネルと、第二側パネルが設けられた第二側パネルと、第二上パネルとを折れ線を介して順次連設した一枚のブランクにより表示パネルと三角形の筒状部を形成し、底パネル孔から容器の首部を挿入して、第一側パネル孔や第二側パネル孔の下縁が容器のフランジ内側又は蓋部の段差に食い込むようにして容器を吊り下げるものである。
【０００４】
また、特許文献２におけるボトル運搬体は、取手板と外側板と底板と内側板とを有し、一方の外側板に連設した底板及び２枚の内側板を三角筒状に巻き込み、各外側板と内側板とを貼り合わせて側壁をなし、底板にボトルの首部挿入穴を設けるとともに、２枚の内側板の連設部及び外側板と取手板の連設部にボトルの頭部挿入穴を設け、頭部挿入穴の下縁にボトルのフランジを係合させるものである。
【特許文献１】特開２００１−３０１０６９号公報
【特許文献２】特開２００５−１７０４０７号公報
【考案の開示】
【考案が解決しようとする課題】
【０００５】
しかし、上記特許文献１の紙製容器ホールダーや特許文献２のボトル運搬体においては、ボトルを吊り下がった状態で係止することはできるが、筒状部の上部に形成された穴部にボトルのフランジを係止させるだけのものであるので、吊り下げられたボトルは揺動し、隣接するボトル同士が接触してしまうおそれがあり、ボトルがガラス製や陶器製等の場合には強く接触すると割れてしまうおそれがある。また、吊り下げられたボトルが揺動すると、穴部の下縁に係止している容器のフランジが穴部から外れてしまい、ホルダからボトルが落下してしまうおそれがある。
【０００６】
また、特許文献１の場合も特許文献２の場合も、ボトルを吊り下げる部分が単に筒状になっているのみであるので、両側の側板同士が広がるおそれがあり、両側の側板同士が広がると吊り下げられていたボトルが落下するおそれがある。
【０００７】
また、ボトルを取り出す場合には、特許文献２の場合には、筒状部を構成する両側壁を端部から外側に押し広げて内側板の切目線を切断するが、その操作が面倒であり、容易にボトルを取り出すことができない。また、特許文献１の場合には、開封帯を切り取ればよいので、比較的容易にボトルを取り出すことができるが、この開封帯の箇所はボトルのフランジが係止する部分であり、開封帯の両側にミシン目等を形成することによりその箇所の強度が弱くなってしまい、ボトルがホルダから外れてしまうおそれがある。
【０００８】
そこで、本考案が解決しようとする問題点は、複数の瓶等のボトルを吊り下げた状態で保持するボトルホルダで、隣接するボトルが接触しないように強固にボトルを保持することができるとともに、ボトルが落下するおそれがなく、さらには、ボトルをホルダから取り出す際に、容易に取り出すことができるボトルホルダを提供することである。
【課題を解決するための手段】
【０００９】
本考案は上記問題点を解決するために創作されたものであって、第１には、１枚のシート状ブランクにより形成され、ボトルを吊り下げた状態で保持するボトルホルダであって、把手部と、保持部と、ロック部とを有し、該把手部が、第１把手部用板部と第２把手部用板部とを貼り合わせて形成され、該保持部が、第１把手部用板部の下端辺から折れ線を介して連設された第１上側側板部と、第１上側側板部の第１把手部用板部側とは反対側の辺部から折れ線を介して連設された第１下側側板部と、第２把手部用板部の下端辺から折れ線を介して連設された第２上側側板部と、第２上側側板部の第２把手部用板部側とは反対側の辺部から連設されるとともに第１下側側板部の第１上側側板部側とは反対側の辺部から折れ線を介して連設された第２下側側板部とを有し、第１上側側板部と第１下側側板部と第２上側側板部と第２下側側板部とで断面が略正方形状の筒状に形成され、第１把手部用板部の第１上側側板部側には、ボトルの頭部を配置する第１切欠部が形成されるとともに、第１上側側板部の第１把手部用板部側には、ボトルの頭部を係止するための第２切欠部が形成され、第１切欠部と第２切欠部とで１つの開口部が形成され、また、第２把手部用板部の第２上側側板部側で第１切欠部と対応する位置には、ボトルの頭部を配置する第３切欠部が形成されるとともに、第２上側側板部の第２把手部用板部側には、ボトルの頭部を係止するための第４切欠部が形成されていて、第３切欠部と第４切欠部とで１つの開口部が形成され、第１切欠部と第３切欠部とで把手部に形成された１つの頭部配置用切欠部が形成されるとともに、第２切欠部と第４切欠部とでボトルの頭部を係止するための１つの頭部係止用開口部が形成され、第１下側側板部から第２下側側板部に跨る頭部係止用開口部の下方の領域に楕円状の開口部が形成されて、該楕円状の開口部の縁部によりボトルの頭部より下位置の周面を保持可能とするとともに、第２下側側板部の側方の端部付近にはロック部の嵌合部の差込み片を差込み可能な穴部が形成され、該ロック部が、第１上側側板部の側辺から折れ線を介して連設され、第１上側側板部に対して折り曲げた場合に、筒状の保持部に嵌合可能に略正方形状を呈する嵌合部を有し、該嵌合部は、第１上側側板部側とは反対側の端部には該穴部に差込み可能な差込み片が形成され、嵌合部の第１上側側板部側の端部から差込み片に向けて切込みがミシン目状に形成されて嵌合部の第１上側側板部側の端部から差し込み片までの中央領域が帯状に破断可能に形成され、ボトルの頭部を楕円状の開口部から挿通して頭部配置用切欠部に配置し、嵌合部を第１上側側板部に対して折り曲げ差込み片を穴部に差し込んでロック部をロックすることにより、ボトルの頭部が頭部係止用開口部に係止されるとともに、楕円状の開口部がボトルの頭部より下位置に接することを特徴とする。
【００１０】
この第１の構成のボトルホルダにおいては、ボトルの頭部を楕円状の開口部から挿通して頭部配置用切欠部に配置し、嵌合部を第１上側側板部に対して折り曲げ差込み片を穴部に差し込んでロック部をロックすることにより、ボトルの頭部が頭部係止用開口部に係止されるとともに、楕円状の開口部がボトルの頭部より下位置に接し、ロック部により保持部の筒状形状が保持されることから、頭部係止用開口部のボトル頭部への係止が外れることがなく、楕円状の開口部の縁部がボトルの周面に接した状態が維持される。よって、ボトルを吊り下げる位置よりも下方の位置でボトルの周囲を保持できることから、ボトルの揺動を防止でき、隣接するボトル同士が接触してしまうおそれがなく、ボトルがガラス製や陶器製等の場合でも割れるおそれがない。また、吊り下げられたボトルが揺動せず、また、頭部係止用開口部のボトルの頭部への係止が外れることがないので、吊り下げられたボトルが落下するおそれがない。
【００１１】
また、嵌合部の第１上側側板部側の端部から差し込み片までの中央領域が帯状に破断可能であるので、ボトルを取り出す際に、該中央領域を帯状に破断することにより、差込み片が穴部から外れるので、簡単にロック部のロックを解除でき、ボトルホルダに保持されたボトルを容易に取り出すことができる。
【００１２】
また、第２には、上記第１の構成において、上記ロック部が、第１内接片部と、第２内接片部とを有し、第１内接片部は、嵌合部の第１上側側板部側とは反対側の辺部から折れ線を介して連設され、第２内接片部は、嵌合部における第１内接片部が連設された辺部と隣接する辺部から折れ線を介して連設され、第１上側側板部の嵌合部との境界位置の折れ線は、把手部や第１下側側板部の端部よりも内側に形成されていて、ロック部をロックした際に、第１内接片部が第２下側側板部の内側に接するとともに、第２内接片部が第１下側側板部の内側に接することを特徴とする。
【００１３】
よって、ロック部をロックした際に、第１内接片部が第２下側側板部の内側に接するとともに、第２内接片部が第１下側側板部の内側に接するので、ロック部のロック状態を安定して維持することができる。
【００１４】
また、第３には、１枚のシート状ブランクにより形成され、ボトルを吊り下げた状態で保持するボトルホルダであって、把手部と、保持部と、ロック部とを有し、該把手部が、第１把手部用板部と第２把手部用板部とを貼り合わせて形成され、該保持部が、第１把手部用板部の下端辺から折れ線を介して連設された第１上側側板部と、第１上側側板部の第１把手部用板部側とは反対側の辺部から折れ線を介して連設された第１下側側板部と、第２把手部用板部の下端辺から折れ線を介して連設された第２上側側板部と、第２上側側板部の第２把手部用板部側とは反対側の辺部から連設されるとともに第１下側側板部の第１上側側板部側とは反対側の辺部から折れ線を介して連設された第２下側側板部とを有し、第１上側側板部と第１下側側板部と第２上側側板部と第２下側側板部とが略同一幅に形成されて、第１上側側板部と第１下側側板部と第２上側側板部と第２下側側板部とで断面が略正方形状の筒状に形成され、第１把手部用板部の第１上側側板部側には、ボトルの頭部を配置する第１切欠部が形成されるとともに、第１上側側板部の第１把手部用板部側には、ボトルの頭部を係止するための第２切欠部が形成され、第１切欠部と第２切欠部とで１つの開口部が形成され、また、第２把手部用板部の第２上側側板部側で第１切欠部と対応する位置には、ボトルの頭部を配置する第３切欠部が形成されるとともに、第２上側側板部の第２把手部用板部側には、ボトルの頭部を係止するための第４切欠部が形成されていて、第３切欠部と第４切欠部とで１つの開口部が形成され、第１切欠部と第３切欠部とで把手部に形成された１つの頭部配置用切欠部が形成されるとともに、第２切欠部と第４切欠部とでボトルの頭部を係止するための１つの頭部係止用開口部が形成され、第１下側側板部から第２下側側板部に跨る頭部係止用開口部の下方の領域に楕円状の開口部が形成されて、該楕円状の開口部の縁部によりボトルの頭部より下位置の周面を保持可能とするとともに、第２下側側板部の側方の端部付近にはロック部の嵌合部の差込み片を差込み可能な穴部が形成され、該ロック部が、嵌合部と、第１内接片部と、第２内接片部とを有し、該嵌合部が、第１上側側板部の側辺から折れ線を介して連設され、第１上側側板部に対して折り曲げた場合に、筒状の保持部に嵌合可能に略正方形状を呈し、第１内接片部との境界位置には切込みを形成することにより嵌合部の端部に差込み片が形成され、嵌合部の第１上側側板部側の端部から差込み片に向けて切込みがミシン目状に形成されて嵌合部の第１上側側板部側の端部から差し込み片までの中央領域が帯状に破断可能に形成され、第１内接片部は、嵌合部の第１上側側板部側とは反対側の辺部から折れ線を介して連設され、第２内接片部は、嵌合部における第１内接片部が連設された辺部と隣接する辺部から折れ線を介して連設されるとともに、第１上側側板部の嵌合部との境界位置の折れ線は、把手部や第１下側側板部の端部よりも内側に形成されていて、嵌合部を第１上側側板部に対して折り曲げ差込み片を穴部に差し込むことによりロック部をロックした際に、第１内接片部が第２下側側板部の内側に接するとともに、第２内接片部が第１下側側板部の内側に接し、ボトルの頭部を楕円状の開口部から挿通して頭部配置用切欠部に配置し、ロック部をロックすることにより、ボトルの頭部が頭部係止用開口部に係止されるとともに、楕円状の開口部がボトルの頭部より下位置に接することを特徴とする。
【００１５】
この第３の構成のボトルホルダにおいては、ボトルの頭部を楕円状の開口部から挿通して頭部配置用切欠部に配置し、嵌合部を第１上側側板部に対して折り曲げ差込み片を穴部に差し込んでロック部をロックすることにより、ボトルの頭部が頭部係止用開口部に係止されるとともに、楕円状の開口部がボトルの頭部より下位置に接し、ロック部により保持部の筒状形状が保持されることから、頭部係止用開口部のボトル頭部への係止が外れることがなく、楕円状の開口部の縁部がボトルの周面に接した状態が維持される。よって、ボトルを吊り下げる位置よりも下方の位置でボトルの周囲を保持できることから、ボトルの揺動を防止でき、隣接するボトル同士が接触してしまうおそれがなく、ボトルがガラス製や陶器製等の場合でも割れるおそれがない。また、吊り下げられたボトルが揺動せず、また、頭部係止用開口部のボトルの頭部への係止が外れることがないので、吊り下げられたボトルが落下するおそれがない。
【００１６】
また、嵌合部の第１上側側板部側の端部から差し込み片までの中央領域が帯状に破断可能であるので、ボトルを取り出す際に、該中央領域を帯状に破断することにより、差込み片が穴部から外れるので、簡単にロック部のロックを解除でき、ボトルホルダに保持されたボトルを容易に取り出すことができる。
【００１７】
また、ロック部をロックした際に、第１内接片部が第２下側側板部の内側に接するとともに、第２内接片部が第１下側側板部の内側に接するので、ロック部のロック状態を安定して維持することができる。
【００１８】
また、第４には、上記第１から第３までのいずれかの構成において、第２切欠部と第４切欠部とが、半円状の切欠部の奥側に該切欠部をなす半円よりも径の小さい円弧の切欠部が形成された径の異なる二重の切欠部により形成されていることを特徴とする。これにより、大径の切欠部と小径の切欠部の間に角部が形成され、ボトルのフランジに頭部係止用開口部を係止した際に、角部がフランジに係止しやすくなり、確実にボトルを保持することができる。
【考案の効果】
【００１９】
本考案に基づくボトルホルダによれば、ボトルの頭部を楕円状の開口部から挿通して頭部配置用切欠部に配置し、嵌合部を第１上側側板部に対して折り曲げ差込み片を穴部に差し込んでロック部をロックすることにより、ボトルの頭部が頭部係止用開口部に係止されるとともに、楕円状の開口部がボトルの頭部より下位置に接し、ロック部により保持部の筒状形状が保持されることから、頭部係止用開口部のボトル頭部への係止が外れることがなく、楕円状の開口部の縁部がボトルの周面に接した状態が維持される。よって、ボトルを吊り下げる位置よりも下方の位置でボトルの周囲を保持できることから、ボトルの揺動を防止でき、隣接するボトル同士が接触してしまうおそれがなく、ボトルがガラス製や陶器製等の場合でも割れるおそれがない。また、吊り下げられたボトルが揺動せず、また、頭部係止用開口部のボトルの頭部への係止が外れることがないので、吊り下げられたボトルが落下するおそれがない。
【００２０】
また、嵌合部の第１上側側板部側の端部から差し込み片までの中央領域が帯状に破断可能であるので、ボトルを取り出す際に、該中央領域を帯状に破断することにより、差込み片が穴部から外れるので、簡単にロック部のロックを解除でき、ボトルホルダに保持されたボトルを容易に取り出すことができる。
【考案を実施するための最良の形態】
【００２１】
本考案においては、複数の瓶等のボトルを吊り下げた状態で保持するボトルホルダで、隣接するボトルが接触しないように強固にボトルを保持することができるとともに、ボトルが落下するおそれがなく、さらには、ボトルをホルダから取り出す際に、容易に取り出すことができるボトルホルダを提供するという目的を以下のようにして実現した。
【００２２】
本考案に基づくボトルホルダ５は、図１〜図５に示すように構成され、把手部１０と、保持部２０と、ロック部６０、９０とを有している。このボトルホルダ５は、１枚のシート状のブランク（具体的には、段ボール製（例えば、薄型段ボール製）のブランク）により形成されている。なお、図面において、Ｙ１−Ｙ２方向は、Ｘ１−Ｘ２方向に直角な方向であり、Ｚ１−Ｚ２方向は、Ｘ１−Ｘ２方向及びＹ１−Ｙ２方向に直角な方向である。
【００２３】
ここで、把手部１０は、全体に板状を呈し、具体的には、横長長方形状の上側の角部にアールを形成した形状を呈し、その中央における上側に略帯状の開口部１５が形成されている。また、把手部１０の下端には、略方形状の切欠部３１ａ、３３ａ（頭部配置用切欠部）が形成されていて、ボトルをボトルホルダ５に装着した際には、切欠部３１ａと切欠部３３ａには、ボトルの頭部が配置される。
【００２４】
この把手部１０は、把手部用板部１２と把手部用板部１６とを貼り合わせることにより形成されたものである。具体的には、図５のハッチングに示す領域に接着剤が塗布されて、把手部用板部１２と把手部用板部１６とが貼り合わされる。把手部用板部１２と把手部用板部１６は、図５に示すように構成されている。
【００２５】
すなわち、把手部用板部１２は、全体に板状を呈し、具体的には、横長長方形状の上側（図５では下側）の角部にアールを形成した形状を呈し、その左右方向の中央における上側側板部２２側とは反対側の領域には略帯状の開口部１４が形成されている。また、把手部用板部１２の上側側板部２２側の端部には略方形状の切欠部３１ａ、３３ａ（第１切欠部）が間隔を介して形成されている。
【００２６】
また、把手部用板部１６は、把手部用板部１２と対称の形状を呈し、全体に板状を呈し、具体的には、横長長方形状の上側の角部にアールを形成した形状を呈し、その左右方向の中央における上側側板部２８側とは反対側の領域には略帯状の開口部１８が形成されている。また、把手部用板部１６の上側側板部２８側の端部には略方形状の切欠部３１ａ、３３ａ（第３切欠部）が間隔を介して形成されている。
【００２７】
把手部１０は、把手部用板部１２と把手部用板部１６とを貼り合わせることにより形成されていて、開口部１４と開口部１８とにより開口部１５が形成され、上側側板部２２の切欠部３１ａと上側側板部２８の切欠部３１ａとにより把手部１０の切欠部３１ａ（頭部配置用切欠部）が形成され、上側側板部２２の切欠部３３ａと上側側板部２８の切欠部３３ａとにより把手部１０の切欠部３３ａ（頭部配置用切欠部）が形成される。なお、把手部用板部１２と把手部用板部１６とを貼り合わせるに当たり、把手部用板部１２と把手部用板部１６の全面を接着剤により貼り合わせてもよい。
【００２８】
また、保持部２０は、把手部１０の下端から連設され、略四角形状の筒状を呈し、上側側板部２２（第１上側側板部）と、上側側板部２８（第２上側側板部）と、下側側板部２４（第１下側側板部）と、下側側板部２６（第２下側側板部）により形成されている。
【００２９】
上側側板部２２は、図５に示すように、把手部用板部１２から折れ線を介して連設され、上側側板部２８は、把手部用板部１６から折れ線を介して連設されている。上側側板部２２、２８は、ともに略長方形状を呈している（ただし、後述する切欠部が形成されている）が、上側側板部２８の横方向の幅（Ｘ１−Ｘ２方向の幅）は、把手部用板部１６の横方向の幅と同一に形成されているが、上側側板部２２の横方向の幅は、把手部用板部１２の横方向の幅よりも小さく形成されている。これは、ロック部６０、９０との境界が把手部用板部１２、１６の端部よりも内側にあるためである。
【００３０】
上側側板部２２の上側には、把手部１０の切欠部３１ａから連設された切欠部３１ｂ（第２切欠部）が形成されるとともに、把手部１０の切欠部３３ａから連設された切欠部３３ｂが形成されており、また、上側側板部２８の上側には、把手部１０の切欠部３１ａから連設された切欠部３１ｃ（第４切欠部）が形成されるとともに、把手部１０の切欠部３３ａから連設された切欠部３３ｃが形成されている。この切欠部３１ｂ、３１ｃ、３３ｂ、３３ｃは、略半円状に形成されているが、半円状の切欠部の奥側に該切欠部をなす半円よりも径の小さい円弧の切欠部が形成された径の異なる二重の切欠部により形成されていて、大径の切欠部と小径の切欠部の間に角部Ｋが形成され、ボトルのフランジに切欠部３１ｂ、３１ｃ、３３ｂ、３３ｃを係止した際に、特に、該角部Ｋがフランジに係止しやすくなり確実にボトルを保持することができるようになっている。
【００３１】
また、図５に示すように、把手部用板部１２における切欠部３１ａと上側側板部２２における切欠部３１ｂとで１つの開口部３０が形成され、把手部用板部１２における切欠部３３ａと上側側板部２２における切欠部３３ｂとで１つの開口部３２が形成され、また、把手部用板部１６における切欠部３１ａと上側側板部２８における切欠部３１ｃとで１つの開口部５０が形成され、把手部用板部１６における切欠部３３ａと上側側板部２８における切欠部３３ｃとで１つの開口部５２が形成される。
【００３２】
また、下側側板部２４は、上側側板部２２の把手部用板部１２側とは反対側の辺部から折れ線を介して連設され、略長方形状の上側側板部２２側の角部に面取り部が形成された形状を呈している（ただし、後述する切欠部が形成されている）。
【００３３】
また、下側側板部２６は、下側側板部２４の上側側板部２２側とは反対側の辺部から折れ線を介して連設されるとともに、上側側板部２８の把手部用板部１６側とは反対側の辺部から折れ線を介して連設されており、略長方形状を呈しているが、その横方向の両側の辺部は円弧状に膨出した形状となっている。
【００３４】
この下側側板部２４から下側側板部２６に跨るようにして楕円形状の開口部４０と楕円形状の開口部４２とが間隔を介して形成されている。つまり、各下側側板部には半楕円形状の切欠部が形成され、２つの半楕円形状の切欠部により１つの楕円形状の開口部４０、４２が形成されている。なお、開口部４０、４２を楕円形状としたのは、ボトルとしての瓶は一般的に横断面が円形を呈し、斜めの断面は楕円を呈するが、下側側板部２４、２６はボトルに対して斜めに接する（図１１参照）ことから、開口部４０、４２がボトルの外周面に対して隙間なく接するように楕円形状としたのである。
【００３５】
また、下側側板部２４の２つの開口部４０、４２間の位置には、開口部４４が形成されている。これは、保持部２０を筒状に組み立てる際に指を入れるために設けられている。
【００３６】
また、下側側板部２６における横方向の端部付近（Ｘ１側の端部付近とＸ２側の端部付近。厳密には、上側側板部２２とロック部６０との境界位置に対応する位置と、上側側板部２２とロック部９０の境界位置に対応する位置）には、スリット状の穴部２６ａ、２６ｂが形成されていて、ロック部６０、９０における差込み片７４、１０４を差込み可能に形成されている。
【００３７】
把手部用板部１２と上側側板部２２と下側側板部２４と下側側板部２６と上側側板部２８と把手部用板部１６とは、折れ線を介して順次連設されているが、隣接する各部間の境界をなす折れ線は直線状を呈し互いに平行に形成され、該折れ線には、ミシン目が形成されている。
【００３８】
また、上側側板部２２と上側側板部２８と下側側板部２４と下側側板部２６の各側板部の幅（図５においては、Ｙ１−Ｙ２方向の幅）は、同一に形成されていて、これにより、保持部２０を筒状に形成した際には、略正方形状（正方形状としてもよい）の断面形状となる。
【００３９】
なお、保持部２０においては、上側側板部２２の切欠部３１ｂと上側側板部２８の切欠部３１ｃとが対向することにより、切欠部３１ｂと切欠部３１ｃとで１つの開口部３１（頭部係止用開口部）が形成され、特に、上側側板部２２と上側側板部２８のなす角度を大きくすることにより前後方向に広がった開口部となる。同様に、上側側板部２２の切欠部３３ｂと上側側板部２８の切欠部３３ｃとが対向することにより、切欠部３３ｂと切欠部３３ｃとで１つの開口部３３（頭部係止用開口部）が形成され、特に、上側側板部２２と上側側板部２８のなす角度を大きくすることにより前後方向に広がった開口部となる。
【００４０】
なお、開口部３１、３３の径は、保持部２０を断面正方形の四角筒状にした場合に、開口部３１、３３の縁部（特に、前後方向の縁部）がボトルの頭部のフランジに係止する大きさに形成されているといえる。また、開口部４０、４２の径も保持部２０を断面正方形の四角筒状にした場合に、開口部４０、４２の縁部がボトルの周面に接する大きさに形成されている。
【００４１】
また、ロック部６０は、上側側板部２２の左側（Ｘ１側）の端部から連設されていて、略正方形状の板状の嵌合部６２と、嵌合部６２における上側側板部２２側とは反対側の辺部から折れ線を介して連設された内接片部８０（第１内接片部）と、嵌合部６２における内接片部８０が形成された辺部に隣接する辺部（下側側板部２４側の辺部）から折れ線を介して連設された内接片部８２（第２内接片部）とを有している。
【００４２】
ここで、嵌合部６２と内接片部８０との境界位置には、略コ字状の切込み６４が形成されていて、切込み６４の両側の端部が嵌合部６２と内接片部８０との境界の折れ線と連設されている。この切込み６４により嵌合部６２には差込み片７４が形成される。また、嵌合部６２と上側側板部２２の境界線は、把手部用板部１２の端部よりも内側に形成されていることから、嵌合部６２と把手部用板部１２の境界位置には略直線状の切込み６６が形成されている。なお、上側側板部２２と嵌合部６２間の幅Ｗ１は、内接片部８０の幅Ｗ２と略同一となっている。
【００４３】
また、嵌合部６２と上側側板部２２の境界位置には半円状の切込み６８が形成され、上側側板部２２に対して嵌合部６２を折り曲げた状態とすることにより、切込み６８により形成された片部６９が上側側板部２２の外面よりも突出するようになっている。また、該切込み６８と切込み６４の間の領域には、複数の切込み（くの字状の切込み）が間隔を介して形成された切込み群が対称に２列に形成されていて、ミシン目７０を形成し、片部６９を引っ張ることにより、嵌合部６２の中央の帯状の領域７２が破断するように形成されている。
【００４４】
また、内接片部８０は、略長方形状の板状を呈し、内接片部８２は、略長方形状の一方の側を斜めに欠切した略台形形状をなし、その幅Ｗ３は、内接片部８０の幅Ｗ２と略同一となっている。内接片部８０と嵌合部６２との境界をなす折れ線にはミシン目が形成されている。また、内接片部８２と下側側板部２４の境界は直線状の切込みにより形成され、その基端には、円形の開口部８３が形成されている。
【００４５】
このロック部６０においては、保持部２０を筒状にした状態で嵌合部６２を上側側板部２２に対して折り曲げることにより、内接片部８０が下側側板部２６の内側の面に接するとともに、内接片部８２が下側側板部２４の内側の面に接することにより、ロック部６０が筒状の保持部２０内に嵌合するように形成されている。
【００４６】
また、ロック部９０は、上側側板部２２の右側（Ｘ２側）の端部から連設されていて、ロック部６０と対称（線対称）の構成となっている。すなわち、ロック部９０は、略正方形状の板状の嵌合部９２と、嵌合部９２における上側側板部２２側とは反対側の辺部から折れ線を介して連設された内接片部１１０と、嵌合部９２における内接片部１１０が形成された辺部に隣接する辺部（下側側板部２４側の辺部）から折れ線を介して連設された内接片部１１２とを有している。
【００４７】
ここで、嵌合部９２と内接片部１１０との境界位置には、略コ字状の切込み９４が形成されていて、切込み９４の両側の端部が嵌合部９２と内接片部１１０との境界の折れ線と連設されている。この切込み９４により嵌合部９２には差込み片１０４が形成される。また、嵌合部９２と上側側板部２２の境界線は、把手部用板部１２の端部よりも内側に形成されていることから、嵌合部９２と把手部用板部１２の境界位置には略直線状の切込み９６が形成されている。なお、上側側板部２２と嵌合部９２間の幅は、内接片部１１０の幅と略同一となっている。
【００４８】
また、嵌合部９２と上側側板部２２の境界位置には半円状の切込み９８が形成され、上側側板部２２に対して嵌合部９２を折り曲げた状態とすることにより、切込み９８により形成された片部９９が上側側板部２２の外面よりも突出するようになっている。また、該切込み９８と切込み９４の間の領域には、複数の切込み（くの字状の切込み）が間隔を介して形成された切込み群が対称に２列に形成されていて、ミシン目１００を形成し、片部９９を引っ張ることにより、嵌合部９２の中央の帯状の領域１０２が破断するように形成されている。
【００４９】
また、内接片部１１０は、略長方形状の板状を呈し、内接片部１１２は、略長方形状の一方の側を斜めに欠切した略台形形状をなし、その幅は、内接片部８０の幅と略同一となっている。内接片部１１０と嵌合部９２との境界をなす折れ線にはミシン目が形成されている。また、内接片部１１２と下側側板部２４の境界は直線状の切込みにより形成され、その基端には、円形の開口部１１３が形成されている。
【００５０】
このロック部９０においては、保持部２０を筒状にした状態で嵌合部９２を上側側板部２２に対して折り曲げることにより、内接片部１１０が下側側板部２６の内側の面に接するとともに、内接片部１１２が下側側板部２４の内側の面に接することにより、ロック部９０が筒状の保持部２０内に嵌合するように形成されている。
【００５１】
ボトルホルダ５は、図１、図２に示すように、下側側板部２４と下側側板部２６間の折れ線で折り曲げ、把手部用板部１２と上側側板部２２と下側側板部２４とを平板状にするとともに、把手部用板部１６と上側側板部２８と下側側板部２６とを平板状にすることにより、平坦に折り畳んだ状態とすることができ、ボトルホルダ５自体を保管したり運搬する場合に省スペースとすることができる。
【００５２】
上記構成のボトルホルダ５の使用状態について説明する。本実施例のボトルホルダ５に適用されるボトルとしては、なで肩形状のガラス瓶が特に適していて、特に、７２０ｍｌのものが適している。
【００５３】
まず、図１、図２に示すように平坦な状態になっているボトルホルダ５を組み立てる。すなわち、下側側板部２４と下側側板部２６のなす角度を大きくすることにより、下側側板部２４と上側側板部２２とのなす角度や、下側側板部２６と上側側板部２８とのなす角度が小さくなり、保持部２０が筒状に形成する。その際、下側側板部２４には開口部４４が設けられているので、この開口部４４に一方の手の親指を挿入して該一方の手で下側側板部２６を持ち、他方の手で把手部１０を持った状態て、開口部４４に挿入した親指を押し込んで下側側板部２４と下側側板部２６のなす角度を大きくすることにより、容易に保持部２０を断面略正方形状の筒状に組み立てることができる。
【００５４】
保持部２０を筒状に組み立てたら、図７に示すように、瓶等のボトル２００にボトルホルダ５を装着するが、その際には、図６に示すように、上下に隣接する上側側板部２２（２８）と下側側板部２４（２６）のなす角度を小さくしてボトルホルダ５の保持部２０をなるべく平坦にすると開口部４０、４２や開口部３０、３２が前後方向に広がってボトル２００の頭部２１０を挿入しやすい。ボトル２００の頭部２１０に保持部２０を装着するに当たっては、頭部２１０を開口部４０（４２）に挿入し、その後、開口部３１（３３）に挿入して、頭部２１０の先端部分を把手部１０の切欠部３１ａ、３３ａ内に臨ませて、ボトル２００に保持部２０を装着する。ボトルホルダ５においては、開口部４０、３１と開口部４２、３３とが設けられているので、２本のボトル２００を保持することができる。なお、保持部２０をボトル２００に装着したら、保持部２０を四角筒状に広げておく。
【００５５】
保持部２０を平坦な状態から断面正方形状の四角筒状にすることにより開口部３１、３３の前後方向（Ｙ１−Ｙ２方向）の幅が小さくなるので、これにより、図１１に示すように、開口部３１、３３の縁部（特に、前後方向の縁部）がボトル２００の頭部２１０のフランジに係止し、特に、上記角部Ｋが係止して、ボトルを吊下げ可能とする。また、図１１に示すように、開口部４０、４２の縁部がボトル２００の頭部２１０よりも下方の首部２２０（なで肩状の首部）の周面に接した状態となる。
【００５６】
次に、ロック部６０、９０をロックする。すなわち、嵌合部６２（９２）を上側側板部２２に対して折り曲げることにより、内接片部８０（１１０）が下側側板部２６の内側の面に接するとともに、内接片部８２（１１２）が下側側板部２４の内側の面に接することにより、ロック部６０（９０）を筒状の保持部２０内に嵌合させる。その際、ロック部６０の差込み片７４を穴部２６ａに差し込み、ロック部９０の差込み片１０４を穴部２６ｂに差し込んで、図８、図９、図１０に示すように、ロック部６０、９０をロックする。
【００５７】
このようにロック部６０、９０をロックすることにより、保持部２０が四角筒状に固定されるので、開口部３１、３３のボトル２００の頭部２１０への係止が外れることがなく、また、開口部４０、４２の縁部がボトル２００の首部２２０の周面に接した状態が維持される。
【００５８】
よって、開口部４０、４２の縁部がボトル２００の周面に接した状態に固定できるので、ボトル２００を吊り下げる位置よりも下方の位置でボトル２００の周囲を保持できることから、ボトル２００の揺動を防止でき、隣接するボトル同士が接触してしまうおそれがなく、ボトルがガラス製や陶器製等の場合でも割れるおそれがない。
【００５９】
また、吊り下げられたボトルが揺動せず、また、開口部３１、３３のボトルの頭部への係止が外れることがないので、吊り下げられたボトルが落下するおそれがない。
【００６０】
以上のようにして、ボトルホルダ５をボトルに装着したら、把手部１０を手に持って持ち運びすることができる。
【００６１】
また、ロック部６０、９０には、内接片部８０、８２、１１０、１１２が設けられているので、該内接片部が下側側板部の内側に接することにより、ロック部６０、９０のロック状態を安定して維持することができる。
【００６２】
次に、ボトルホルダ５が装着されたボトルを取り出す場合について説明する。ボトルを取り出す場合には、ロック部６０、９０のロックを解除する。すなわち、ロック部６０（９０）の片部６９（９９）を外側に引っ張ることにより、ミシン目７０（１００）を破り帯状の領域７２（１０２）を嵌合部６２（９２）から破断する（図１２参照）。すると、嵌合部６２（９２）が嵌合部６２（９２）と上側側板部２２との境界線の位置を中心に外側に回動しようとするので、これに伴い、差込み片７４（１０４）が穴部２６ａ（２６ｂ）から外れ、その後、嵌合部６２（９２）が外側に回動する（図１３参照）。同様に、ロック部９０の片部９９を外側に引っ張ることにより、ミシン目１００を破り帯状の領域１０２を嵌合部９２から破断する。すると、嵌合部９２が嵌合部９２と上側側板部２２との境界線の位置を中心に外側に回動しようとするので、これに伴い、差込み片１０４が穴部２６ｂから外れ、その後、嵌合部９２が外側に回動する。以上のようにして、ロック部６０、９０のロックが解除される。
【００６３】
ロック部６０、９０のロックを解除したら、再び保持部２０を平坦な形状にした（すなわち、上下に隣接する上側側板部２２（２８）と下側側板部２４（２６）のなす角度を小さくして平坦にする）後に、ボトルホルダ５を上方を引き上げて、ボトルから取り外す。
【００６４】
以上のように、ボトルを取り出す際に、片部６９と片部９９を引っ張るのみで簡単にロック部６０、９０のロックを解除でき、ボトルホルダに保持されたボトルを容易に取り出すことができる。
【００６５】
なお、上記の説明においては、保持部２０には、下側側板部２４、２６に設けられた開口部４０、４２と上側側板部２２、２８に設けられた開口部３１、３３がそれぞれ２つずつ設けられていて、２本のボトルを保持できる構成であるが、下側側板部２４、２６に設けられた開口部と上側側板部２２、２８に設けられた開口部とからなる一対の開口部を３つ以上として、３本以上のボトルを保持できるものとしてもよい。
【図面の簡単な説明】
【００６６】
【図１】本考案の実施例に基づくボトルホルダの正面図である。
【図２】本考案の実施例に基づくボトルホルダの背面図である。
【図３】本考案の実施例に基づくボトルホルダの保持部を組み立てた状態を示す前方斜視図である。
【図４】本考案の実施例に基づくボトルホルダの保持部を組み立てた状態を示す後方斜視図である。
【図５】本考案の実施例に基づくボトルホルダの展開図である。
【図６】本考案の実施例に基づくボトルホルダをボトルに装着する前段階の状態を示す前方斜視図である。
【図７】本考案の実施例に基づくボトルホルダをボトルに装着した状態を示す前方斜視図である。
【図８】本考案の実施例に基づくボトルホルダをボトルに装着してロック部をロックした状態を示す前方斜視図である。
【図９】本考案の実施例に基づくボトルホルダをボトルに装着してロック部をロックした状態を示す後方斜視図である。
【図１０】本考案の実施例に基づくボトルホルダをボトルに装着してロック部をロックした状態を示す要部正面図である。
【図１１】図８のＰ−Ｐ線により破断した要部断面図である。
【図１２】ミシン目を破って帯状の領域を破断した状態を示す前方斜視図である。
【図１３】嵌合部を回動させてロック部を解除した状態を示す前方斜視図である。
【図１４】ボトルホルダをボトルから取り外す状態を示す前方斜視図である。
【符号の説明】
【００６７】
５  ボトルホルダ
１０  把手部
１２、１６  把手部用板部
１４、１５、１８、３０、３１、３２、３３、４０、４２、４４、５０、５２、８３、１１３  開口部
２０  保持部
２２、２８  上側側板部
２４、２６  下側側板部
２６ａ、２６ｂ  穴部
３１ａ、３１ｂ、３１ｃ、３３ａ、３３ｂ、３３ｃ  切欠部
６０、９０  ロック部
６２、９２  嵌合部
６９、９９  片部
７０、１００  ミシン目
７４、１０４  差込み片
８０、８２、１１０、１１２  内接片部
Ｋ  角部
【図１】
0003144245.tif 000003
【図２】
0003144245.tif 000004
【図３】
0003144245.tif 000005
【図４】
0003144245.tif 000006
【図５】
0003144245.tif 000007
【図６】
0003144245.tif 000008
【図７】
0003144245.tif 000009
【図８】
0003144245.tif 000010
【図９】
0003144245.tif 000011
【図１０】
0003144245.tif 000012
【図１１】
0003144245.tif 000013
【図１２】
0003144245.tif 000014
【図１３】
0003144245.tif 000015
【図１４】
0003144245.tif 000016